(57)【特許請求の範囲】
【請求項１】
上端面および下端面が開放された筒状になっており、水田における作付け面の底面に、上端面が上方に開口した垂直状態で配置されて、その内部に灌漑用水が供給される給水枡本体と、
この給水枡本体の下端部内に止水状態で上下方向にスライド可能に支持されており、その上端面が、給水枡本体の上端面よりも適当な長さだけ上方に位置し得るようになった内筒と、
を具備することを特徴とする灌漑用水の水位調整器。
【請求項２】
前記給水枡本体の上端面は、キャップによって閉塞可能になっている請求項１に記載の灌漑用水の水位調整器。
【請求項３】
前記内筒が、給水枡本体の内部に固形物等の進入を防止するように上端面を覆う振れ止めスクリーンによって、給水枡本体に対して振れ止めされている請求項１に記載の灌漑用水の水位調整器。
【請求項４】
前記内筒の上端面が、その内部に固形物等の進入を防止するスクリーンによって覆われている請求項３に記載の灌漑用水の水位調整器。
【請求項５】
前記内筒の上端部は、給水枡本体に嵌合状態で支持された円筒状スクリーンによって覆われており、前記振れ止めスクリーンがその円筒状スクリーン内に支持されている請求項３に記載の灌漑用水の水位調整器。
【請求項６】
請求項１に記載された灌漑用水の水位調整器を、相互に隣接する各水田における作付け面の底面にそれぞれ配置して、一方の水位調整器の内筒の下端から排出される用水を、通水管によって他方の水位調整器の給水枡本体に供給することを特徴とする灌漑用水の水位調整システム。
【請求項７】
隣接する各水田が、上下方向に高さが異なる階段状になっており、前記通水管の一部が、各水田の間に設けられた畦畔に沿って傾斜状態で埋設されている請求項６に記載の灌漑用水の水位調整システム。
【請求項８】
各水位調整器は、上段に位置する水田との間に設けられた畦畔に近接して配置されている請求項７に記載の灌漑用水の水位調整システム。
【発明の詳細な説明】
【０００１】
【発明の属する技術分野】
本発明は、水田に供給された灌漑用水を一定の水位に調整するために使用される灌漑用水の水位調整器、および、その水位調整器を使用した灌漑用水の水位調整システムに関する。
【０００２】
【従来の技術】
水田において、作物を良好に生育させるためには、水田に供給される灌漑用水の水位をきめ細かく調整することが重要になる。特に、冷害が発生しやすい寒冷地では、水田に供給された灌漑用水の水位を頻繁に調整して、用水を循環させることにより、灌漑用水が低温化することを防止する必要がある。
【０００３】
従来、水田における灌漑用水の水位は、コンクリート製の排水枡を水田における畦畔近傍の耕地内に埋設して、その排水枡の取水口に設けられた仕切り板を上下方向に移動させることによって調整するようになっている。
【０００４】
また、特開昭４８−１０８４３号公報には、フロート式の水位調整器によって垂直軸回りに開閉されるゲートの開閉を制御することによって、水田内の灌漑水位を自動調整し得るようになった水位の自動調整装置が開示されている。
【０００５】
【発明が解決しようとする課題】
排水枡を使用して水位を調整する場合には、排水枡が、通常、コンクリート製であり、かなりの重量であるために、その設置作業が容易ではないという問題がある。また、重い排水枡が水田の耕地内に埋設されると沈下するおそれがある。排水枡は、畦畔の近傍に設けられているために、その周囲から漏水すると、畦畔が破壊するおそれもある。
【０００６】
さらに、コンクリート製の排水枡が、耕地内に埋設された状態では、トラクターによる整地、田植えや稲刈り時における田植え機や稲刈り機の運転作業に支障を来すおそれもある。
【０００７】
また、排水枡に設けられる仕切り板には水圧が加わっているために、その操作が容易ではなく、仕切り板の操作作業に手間がかかるという問題もある。
【０００８】
特開昭４８−１０８４３号公報に開示された装置は、構成が複雑であって、製造のために多くのコストが必要であり、また、ランニングコストもかかり、一般農家には普及していないのが現状である。
【０００９】
本発明は、このような問題を解決するものであり、その目的は、簡潔な構成であり、容易に設置することができるとともに、水田内の作業に支障を来すおそれのない灌漑用水の水位調整器および灌漑用水の水位システムを提供することにある。
【００１０】
【課題を解決するための手段】
本発明の灌漑用水の水位調整器は、上端面および下端面が開放された筒状になっており、水田における作付け面の底面に、上端面が上方に開口した垂直状態で配置されて、その内部に灌漑用水が供給される給水枡本体と、この給水枡本体の下端部内に止水状態で上下方向にスライド可能に支持されており、その上端面が、給水枡本体の上端面よりも適当な長さだけ上方に位置し得るようになった内筒と、を具備することを特徴とする。
【００１１】
請求項２に記載の灌漑用水の水位調整器は、前記給水枡本体の上端面は、キャップによって閉塞可能になっている。
【００１２】
請求項３に記載の灌漑用水の水位調整器は、前記内筒が、給水枡本体の内部に固形物等の進入を防止するように上端面を覆う振れ止めスクリーンによって、給水枡本体に対して振れ止めされている。
【００１３】
請求項４に記載の灌漑用水の水位調整器は、前記内筒の上端面が、その内部に固形物等の進入を防止するスクリーンによって覆われている。
【００１４】
請求項５に記載の灌漑用水の水位調整器は、前記内筒の上端部は、給水枡本体に嵌合状態で支持された円筒状スクリーンによって覆われており、前記振れ止めスクリーンがその円筒状スクリーン内に支持されている。
【００１５】
請求項６に記載の灌漑用水の水位調整システムは、このような水位調整器を、相互に隣接する各水田における作付け面の底面にそれぞれ配置して、一方の水位調整器の内筒の下端から排出される用水を、通水管によって他方の水位調整器の給水枡本体に供給することを特徴とする。
【００１６】
請求項７に記載の灌漑用水の水位調整システムは、隣接する各水田が、上下方向に高さが異なる階段状になっており、前記通水管の一部が、各水田の間に設けられた畦畔に沿って傾斜状態で埋設されている。
【００１７】
請求項８に記載の灌漑用水の水位調整システムは、各水位調整器は、上段に位置する水田との間に設けられた畦畔に近接して配置されている。
【００１８】
【実施の形態】
以下、本発明の実施の形態を、図面に基づいて詳細に説明する。
【００１９】
図１は、本発明の水位調整器の実施の形態の一例を示す断面図である。この水位調整器１０は、垂直状態に配置される筒状の給水枡本体１１を有している。給水枡本体１１は、合成樹脂によって、上側になるつれて若干口径が広がった円錐台形状に構成されており、その下端部は、口径が一定になった円筒状の接続部１１ｂになっている。給水枡本体１１の上端面は開放された状態になっており、また、下端部の接続部１１ｂの下端面も開放されている。給水枡本体１１の上端部外周面には、突条１１ｃが全周にわたって設けられている。
【００２０】
給水枡本体１１の中程には、側方へ水平状に突出する短い管状の導水管部１１ａが、給水枡本体１１の内部と連通状態で設けられている。この導水管部１１ａには、通水管２０の一方の端部が接続されるようになっている。
【００２１】
給水枡本体１１の下端部の接続部１１ｂ内には、円筒状をした連結管１３の上端部が嵌合されており、接続部１１ｂと連結管１３とが同心状態で接続されている。連結管１３は、給水枡本体１１の接続部１１ｂから下方に延出している。接続部１１ｂ内に嵌合された連結管１３の上端面は、接続部１１ｂの内奥部に配置されたシール部材１４に突き当てられている。
【００２２】
連結管１３の下端部には、直角に屈曲された管継手１５の一方の端部が、嵌合状態で接続されている。連結管１５の他方の端部内には、通水管２０の端部が嵌合状態で接続されている。
【００２３】
給水枡本体１１の内部には、円筒状の内筒１２が同心状態で配置されている。この内筒１２は、給水枡本体１１の下端部に設けられた接続部１１ｂ内のシール部材１４内に止水状態で嵌合されており、給水枡本体１１内を同心状態で挿通するように垂直状態で支持されている。内筒１２は、シール部材１４内を止水状態で上下方向にスライドし得るようになっており、最も上方にスライドした状態では、その上端部が、給水枡本体１１の上端面から適当な長さだけ上方に突出した状態になる。また、内筒１２は、その上端面が、給水枡本体１１の上端面よりも下方に位置するように、下方にスライドされるようになっており、このような状態では、内筒１２は、連結管１３の内部に嵌入している。
【００２４】
内筒１２の上端部には、内筒１２を上下方向にスライドさせる把手部１２ａが設けられている。この把手部１２ａは、内筒１２の上端部を直径方向に貫通するロッドによって構成されている。
【００２５】
図２は、このような構成の水位調整器１０を使用した傾斜地水田の水位調整システムの実施の形態の一例を示している。傾斜地においては、複数の水田３０が階段状に設けられている。そして、上段の水田３０に隣接する下段の水田３０との間には、畦畔３２がそれぞれ設けられている。また、階段状になった各水田３０の側方には、農道（図示せず）が傾斜状態で設けられている。
【００２６】
水位調整器１０は、各水田３０の作付け面である底面３１にそれぞれ配置されている。各水位調整器１０は、上流側の水田３０との境界に設けられる畦畔３２に近接した水田３０の底面３１に、給水枡本体１１が、上端部を上方に突出した状態で埋設されている。各水位調整器１０は、それぞれの給水枡本体１１が、その上端部外周面に設けられた突条１１ｃの位置まで埋設されている。従って、給水枡本体１１の上端面は、水田３０の底面３１よりも上方に位置して、水田３０内に開口した状態になっている。
【００２７】
相互に隣接した上段および下段の各水田３０に設けられた一対の水位調整器１０同士は、通水管２０によって、それぞれ連結されている。通水管２０は、上段の水田３０に配置された水位調整器１０の下端部の管継手１５に一方の端部が接続されており、その水位調整器１０が設けられた上段の水田３０の底部３１に水平に埋設されている。そして、下段の水田３０との間に設けられた畦畔３２に沿った傾斜状態で、その畦畔３２に埋設されて、下段の水田３０に配置された水位調整器１０における給水枡本体１１の導水管部１１ａに接続されている。
【００２８】
最上側に位置する水田３０の底面に配置された水位調整器１０は、給水枡本体１１の導水管部１１ａに、給水管が接続されており、その給水管を通して給水枡本体１１内に用水が供給されるようになっている。
【００２９】
各水田３０に配置された各水位調整器１０は、給水枡本体１１に対して内筒１２を上下方向にスライドさせて、その上端面が水田３０における用水の水位に対応したレベルとなるように、それぞれの高さ位置が設定される。
【００３０】
このような水位調整システムでは、最上段の水田３０に配置された水位調整器１０の給水枡本体１１に、給水管を通して用水が供給される。給水枡本体１１内に供給された用水は、給水枡本体１１内を挿通する内筒１２の下端部が、シール部材１４によって、給水枡本体１１の内周面と止水状態になっているために、接続部１１ｂ内に流下せず、給水枡本体１１内に溜まった状態になる。そして、給水枡本体１１内に用水が順次流入することにより、給水枡本体１１の上端面から水田３０内に流出する。
【００３１】
このようにして、給水枡本体１１の上端面から水田３０内に用水が流出することによって、水田３０内に用水が供給されて水田３０が灌漑される。水田３０内に供給された用水は、内筒１２の上端面よりも水位が高くなると、水田３０内の用水は、内筒１２内に流入して、連結管１３、および、連結管１３の下端部に設けられた管継手１５を通って、通水管２０内に供給される。これにより、水田３０内の用水は、内筒１２の上端面に等しい水位に保持される。
【００３２】
通水管２０に供給された用水は、下段の水田３０に配置された水位調整器１０に供給され、その水位調整器１０によって、その下流側の水田３０が灌漑されるとともに、所定の水位とされる。
【００３３】
このようにして、階段状になった各水田３０内には、各水田３０内に配置された水位調整器１０によって、所定の水位にまで用水が灌漑され、灌漑された用水は、その水位に保持される。そして、所定の水位に用水が灌漑された各水田によって作物が育成される。
【００３４】
各水位調整器１０は、水田３０の底面３１にそれぞれ配置されており、畦畔３２に配置する必要がない。畦畔３２には、通水管２０が畦畔３２に沿って埋設されているだけであるために、掘削する必要がなく、従って、畦畔３２の破損、漏水等を確実に防止することができる。
【００３５】
また、水位調整器１０には、畦畔３２に沿って埋設された通水管２０内を流下する用水が、高い圧力で流入して、給水枡本体１１の上端面から、高い水圧で水田３０内に流入する。従って、給水枡本体１１内に流入した微細な土砂等は、水圧によって水田３０内に排出することができ、給水枡本体１１内に土砂等が堆積することが抑制される。また、水田３０内に用水を迅速に供給することも可能である。
【００３６】
さらに、給水枡本体１１から水田３０内に流入した用水は、上方へと循環されて、内筒１２の上端面から内筒１２内に流入する。従って、内筒１２を通って下流側の水田３０に供給される用水は、循環される間に温められた状態になっており、作物の生育が阻害されるおそれがない。
【００３７】
水田３０の底部に埋設される通水管２０は、その上方の水田３０内に用水を供給する必要がないために、水田３０の底部の深い位置に埋設することができる。その結果、水田３０内を走行するトラクター等の機械によって、破損するおそれがない。
【００３８】
また、水田３０を休耕するような場合、あるいは、畑作として使用するような場合には、図３に示すように、内筒１２を給水枡本体１１内に押し込んだ状態、あるいは、内筒１２を給水枡本体１１から抜き取った状態で、給水枡本体１１の上端面をキャップ１６によって閉塞するようにすればよい。
【００３９】
図４は、水位調整器１０の実施の形態の他の例を示す断面図、図５は、その平面図である。この水位調整器１０は、給水枡本体１１の上端部に、給水枡本体１１の上端面を覆う振れ止めスクリーン１７が設けられており、その振れ止めスクリーン１７の中央部を、内筒１２が同心状態で挿通している。振れ止めスクリーン１７は、給水枡本体１１内を挿通する内筒１２を給水枡本体１１と同心状態に保持するように振れ止めするとともに、給水枡本体１１の上端面から給水枡本体１１内に、用水中の固形物や浮遊物、あるいは、蛇、モグラ等の小動物が進入することを防止している。
【００４０】
振れ止めスクリーン１７は、内筒１２を給水枡本体１１と同心状態に保持しているために、内筒１２は、給水枡本体１１内を円滑に上下方向にスライドされる。また、振れ止めスクリーン１７は、水田３０の底面３１に近接した給水枡本体１１の上端部に設けられているために、水田３０に配置された際に、振れ止めスクリーン１７は目視されにくく、外観性を損なうおそれがない。
【００４１】
また、内筒１２の上端部にも、内筒１２内に固形物、浮遊物等の進入を防止するスクリーン１８が、内筒１２の上端面を覆った状態で設けられている。従って、内筒１２内にも、用水中の固形物、小動物等が進入するおそれがない。
【００４２】
図６は、水位調整器１０の実施の形態のさらに他の例を示す断面図である。この水位調整器１０は、円筒状をした振れ止め体１９が、給水枡本体部１１の上端部に取り付けられている。この振れ止め体１９は、周面が網目状になった円筒状スクリーン１９ａを有しており、この円筒状スクリーン１９ａの下端部が、給水枡本体１１の上端部外周面に嵌合されて、ネジ止めされることにより、垂直状態に支持されている。
【００４３】
円筒状スクリーン１９ａの内部には、給水枡本体１１の上端面よりも上方位置に、その給水枡本体１１の上端面を覆う振れ止めスクリーン１９ｂが水平状態で設けられており、その振れ止めスクリーン１９ｂの軸心部を、内筒１２が挿通している。
【００４４】
内筒１２は、この振れ止めスクリーン１９ｂによって、給水枡本体１１に対して同心状態で振れ止めされており、従って、給水枡本体１１と同心状態を保持して円滑に上下方向にスライドされる。
【００４５】
また、給水枡本体１１には、用水中の固形物等が進入することが、円筒状スクリーン１９ａおよび振れ止めスクリーン１９ｂによって防止されており、さらに、給水本体１１内に小動物が進入することも、振れ止めスクリーン１９ｂによって防止されている。さらに、用水中の固形物等が内筒１２内に進入することも、円筒状スクリーン１９ａによって防止されている。
【００４６】
なお、本発明の水位調整システムに関して、上記実施の形態では、傾斜地における各水田の水位を調整する場合について説明したが、平坦地における各水田の水位調整にも本発明の水位調整システムは、適用することができる。
【００４７】
【発明の効果】
本発明の灌漑用水の水位調整器は、このように、水田における作付け面の底面に給水枡本体を配置して、その給水枡本体内に支持された内筒を上下方向にスライドさせるという簡単な作業によって、水田の灌漑用水の水位を調整することができ、水位調整のための作業が著しく簡単になる。また、畦畔に配置されないために、畦畔の損傷等が防止される。
【００４８】
本発明の灌漑用水の水位調整システムでは、隣接する水田に順次用水が供給されて、各水田の用水の水位が各水位調整器によって調整されるために、複数の水田における用水の水位の調整が容易になる。また、隣接する水田にそれぞれ配置された水位調整器同士を連結する通水管は、水田の底部における深い位置に埋設することができ、通水管の損傷を防止することができる。特に、傾斜地の水田では、下段の水田に対して、高圧力で用水が供給されるために用水の供給が迅速に行われ、また、各水位調整器の操作も容易になる。
【図面の簡単な説明】
【図１】本発明の灌漑用水の水位調整器の実施の形態の一例を示す断面図である。
【図２】その水位調整器を使用した本発明の灌漑用水の水位調整システムの実施の形態の一例を示す概略断面図である。
【図３】その水位調整器の使用状態を示す断面図である。
【図４】本発明の灌漑用水の水位調整器の実施の形態の他の例を示す断面図である。
【図５】その水位調整器の平面図である。
【図６】本発明の灌漑用水の水位調整器の実施の形態のさらに他の例を示す断面図である。
【符号の説明】
１０  水位調整器
１１  給水枡本体
１２  内筒
１３  連結管
１４  シール部材
１５  管継手
１６  キャップ
１７  振れ止めスクリーン
１８  スクリーン
１９  振れ止め体
１９ａ  円筒状スクリーン
１９ｂ  振れ止めスクリーン
２０  通水管
３０  水田
３１  底面
３２  畦畔
【図１】
0003670427.tif 000002
【図２】
0003670427.tif 000003
【図３】
0003670427.tif 000004
【図４】
0003670427.tif 000005
【図５】
0003670427.tif 000006
【図６】
0003670427.tif 000007